(57)【要約】【課題】様々な介護用パジャマやズボンが開発されている中、医療現場や在宅医療においては、未だ健常者用パジャマが多く選択されている。健常者用パジャマの着用は、オムツや寝衣交換の際、介護者に肉体的・精神的負担を強いる。  本発明は、介護者のストレスを最小限にとどめ、着用者の個性を尊重しながらも、快適な療養生活が送れる介護用パジャマを提供する。【解決手段】前ズボン上部から股上中央を切断、切断部分に持ち出しを設けて、各辺に連続した面ファスナー、特に股上中央部の面ファスナーには幅広のものを設ける。左右脇から背部にかけての腰部にゴム通しを設け、股上中央の合わせ上下先端にドットボタンを付けたことを特徴とする介護用ズボン。【選択図】図３
2014122454.tif 000002
【特許請求の範囲】
【請求項１】
前ズボンの上部から股上中央を切断し全開でき、切断部分に持ち出しを設け、各辺を連続した面ファスナー、特に股上中央部の面ファスナーは幅広のものを用いた介護用ズボン。
【請求項２】
左右脇から背部にかけての腰部にゴム通しを設け、股上中央の合わせ上下先端にドットボタンを付けた介護用ズボン。
【発明の詳細な説明】
【技術分野】
【０００１】  本発明は、病院、および療養施設、自宅等で、治療または障害などのために身体を自由に自ら動かすことが困難な方が使用する介護用ズボンに関するものである。
【背景技術】
【０００２】  病院、介護されているお宅や老人施設などでは、ズボン前面、または側面にファスナー等を使用した介護用寝衣が開発されているのにも関わらず、健常者が使用するパジャマを着用していることが多い。
【先行技術文献】
【特許文献】
【０００３】
【特許文献１】  特開２０１０−１２１２５８号公報
【特許文献２】  特開２００６−３２２１１８号公報
【特許文献３】  特開２００６−３７３２２号公報
【特許文献４】  特開２００２−２２７０１４号公報
【特許文献５】  特開２００１−３３６００６号公報
【特許文献６】  特開平１１−２７９８１６号公報
【特許文献７】  特開平１０−１０２３０４号公報
【発明の概要】
【発明が解決しようとする課題】
【０００４】  介護者の多くが健常者用のパジャマを選択するが、寝たきりの着用者の腰を上げて寝衣交換やオムツ交換を行うことは、介護者だけでなく医療従事者や介護ヘルパーにとって腰痛の誘引となり、その身体的、および心理的苦痛からオムツ交換等の頻度が少なくなり、結果、着用者の臀部の皮膚トラブルを招く。
そこで、ズボンの腰部から裾まで外側面にファスナーやボタンを用いると、脱がせやすくはなるが、着用者を側臥位（横向きにねる）にした場合、腰骨との圧迫で皮膚に潰瘍を生じやすい。
股上に二本ファスナーを用いると、脱がせにくい。
面ファスナーを細切れに使用すると、リハビリや車椅子での移動時に剥がれてしまう上に、隙間から冷気が入り込みやすい。
開放箇所を増やしたことで合わせが複雑になると、着せづらく、より手間がかかる。
いずれのズボンも、流通している商品は通常のパジャマに比較して高価である。
生地のバリエーションも少ないため、季節に対応しづらく、個人の好みでデザインを選択できない。
本発明は、以上の問題点を解決するためになされたものである。
【問題を解決するための手段】
【０００５】  前ズボンの上部中央から股上中央を切断し、左右に全開できる。
切断部分には持ち出しを設け、各辺を連続した面ファスナーで固定する。
特に股上中央部の面ファスナーは、幅広のものを用いる。
腰部のゴム通しは左右脇から背部にかけてとし、中央の合わせ上下先端は面ファスナーの固定強化のためドットボタンを使用する。
以上の構成からなる介護用ズボン。
【発明の効果】
【０００６】  着用者が腰を浮かせることができなくても、ズボンに足を通したまま、介護者は簡単に着用者の臀部を全開にできる。
実際、寝たきり男性とその介護者が試着したところ、排尿後の尿とりパッドの交換が容易で、介護者の交換頻度が増え、臀部の皮膚トラブルが改善した。
着用者が横向き（側臥位）で寝ても、ズボンの付属品で腰骨を圧迫することがない。
前ズボン上部は左右脇まで完全に開くため、オムツを開けて陰部の洗浄などをする際、ズボンに足を通したままでも、十分な作業スペースが確保できる。
また、左右前ズボン上部は尻側に織り込みやすく、ズボン交換の際には着用者を横にするだけで済み、着脱時の介護者及び着用者の労力が少ない。
介護者がオムツやズボンを交換する際、着用者の腰を上げる必要がなく、介護者の腰に負担が少ない。
構造が単純で、初心者の介護者でも扱いやすい。
開放部分が最小限であるため、熟練した介護者でも、たくさんのボタンや面ファスナーを操作する必要がなく、これまでとほとんど変わらない手順で使用でき、新たな鍛錬を必要としない。
接着部を一枚面ファスナーとし、ドットボタンを追加して固定強度を増したことで、冷気の侵入が少なく保温性に優れ、リハビリや車椅子移乗時などにも剥がれず、安心できる。
尿道カテーテルやドレナージボトル等を使用している着用者の場合、前ズボン上部の脚部側面ファスナーに挟めば、皮膚にテープを貼用することなく左右どちら側でも任意の場所で固定が可能。
ゴムを脇から背側のみに用いたことで腹部が圧迫されず、腹水貯留などで腹部が膨満しつらい方や、術後の患者にも苦痛が少ない。
綿や化繊など、薄手から厚手の生地にまで様々対応可能な構造で、健常者用のパジャマの型紙に手を加えるだけで、比較的安易に縫製が可能。
開放部位を最小限に抑えたことで、低コストで製作できる。
上着は、多くの場合、健常者用前あきパジャマで介護上問題ないため、一見健常者用パジャマズボンに見える本発明と組み合わせて販売すれば、健常者と同様のものを着用したい、させたい、という需要に応えることができる。
健常者のパジャマ同様、多様な生地で生産されれば、季節に合わせて着用者それぞれの個性を表現でき、施設においては多数の中から個人を見つけ出す手助けになる。
普及すれば、高齢化社会に貢献でき、しいては医療費の削減につながる。
【図面の簡単な説明】
【０００７】
【図１】  本発明を前面から見た説明図。
【図２】  本発明を後面から見た説明図。
【図３】  本発明の左右前ズボンの上部を全開にした状態を示した説明図。
【図４】  本発明を着用した状態を示した説明図。
【図５】  本発明を着用中のオムツの交換をする状態を示した説明図。
【図６】  本発明の脱衣の状態を前部から示した説明図。
【図７】  本発明の脱衣の状態を背部から示した説明図。
【発明を実施するための形態】
【０００８】  以下、本発明の実施の形態を説明する。
（ア）右前ズボン上部（１）の脚側持ち出しにほつれ留ミシンをかけ、出来上がり線で折ってミシンをかける。
（イ）左前ズボン上部（２）も、（ア）と同様にする。
（ウ）右前ズボン脚部（３）の上部にほつれ留ミシンをかけ、出来上がり線で折って、ミシンをかける。
（エ）右前ズボン上部（１）の持ち出しと脚部（３）上部を重ねて、中表にし、出来上がり線にミシンをかけ、ほつれ留ミシンをかけて後ろ側に倒す。
（オ）左前ズボン上部（２）、左前ズボン脚部（４）、左後ズボン（６）も（エ）と同様にする。
（カ）右前ズボン脚部（３）と右後ズボン（５）の内側を出来上がり線でミシンをかけ、ほつれ留ミシンをかけて後ろ側へ倒す。
（キ）左前ズボン脚部（４）と左後ズボン（６）の内側も（カ）同様にする。
（ク）（カ）で出来た右ズボンを表に返し、（キ）で出来た左ズボンの中へ重ねる。
（ケ）重ね合わせた左右ズボンの股上を揃え、出来上がり線にミシンをかけ、ほつれ留ミシンをかけて左側へ倒す。
（コ）左ズボンを抜き出し、左右ズボンの裾を三折りにしてミシンをかける。
（サ）ズボン上部を三折りにし、ゴム通し（７）を作る。
（シ）ゴムは、左右前ズボン中央付近で縫い止める。
（ス）左右前ズボン上部（１）、（２）の股上側持ち出しにほつれ留ミシンをかけて、出来上がり線で折ってミシンをかける。
（セ）左右前ズボン上部（１）、（２）の脚側持ち出し裏に面ファスナー（８）を縫い止める。
（ソ）左右前ズボン脚部（３）、（４）の上部表に面ファスナー（８）を縫い止める
（タ）右前ズボン上部（１）股上側持ち出し裏に幅広面ファスナー（９）を縫い止める。
（チ）左前ズボン上部（２）股上側持ち出し表に幅広面ファスナー（９）を縫い止める。
（ツ）右前ズボン上部（１）の股上側持ち出し裏の上下、左前ズボン上部（２）の股上側持ち出し裏の下にドットボタン（１０）凹を付ける。
（テ）左前ズボン上部（２）の股上側持ち出し表の上下、股上表にドットボタン（１０）凸を付ける。
本発明は以上のような構造である。
本発明を着用するときは、左右前ズボン上部（１）、（２）の面ファスナー（８）、（９）とドットボタン（１０）それぞれを外し、左右脚部を対象者の足に履かせる。対象者を左向き（左側臥位）にし、尻に後ズボンをあて、左前ズボン上部（２）を腰骨の下に折り込む。
対象者を仰向けに戻し、折り込まれて出てきた左前ズボン上部（２）を引き出す。
左右前ズボン上部（１）、（２）の面ファスナー（８）、（９）、ドットボタン（１０）を合わせればよい。
左右どちら向きでも、同様の動作で着用が可能。
排泄の有無を確かめる、男性の尿とりパットを取り替える場合などは、左右前ズボン上部（１）、（２）の面ファスナー（８）、（９）、ドットボタン（１０）を外し、全開にして作業し、作業後閉じればよい。
本発明を脱衣するときは、左右前ズボン上部（１）、（２）の面ファスナー（８）、（９）とドットボタン（１０）それぞれを外し、左前ズボン上部（２）を尻下に折り込む。
対象者を左向き（左側臥位）にし、腰骨の下に折り込まれて出てきた左前ズボン上部（２）を引き出す。
後ズボンを脚部側へ倒し、対象者を仰向けに戻す。足からズボンを抜き取ればよい。
着用時同様、左右どちら向きでも脱衣が可能。
尿道カテーテルなどの管（１１）の固定は、左右前ズボン上部（１）、（２）と脚部（３）、（４）に付けられた面ファスナー（８）で挟むことで、左右どちら側でも任意の位置で固定できる。
【符号の説明】
【０００９】１右前ズボン上部、２左前ズボン上部、３右前ズボン脚部、４左前ズボン脚部、５右後ズボン、６左後ズボン、７ゴム通し、８面ファスナー、９幅広面ファスナー１０ドットボタン、１１尿道カテーテルなどの管
【図１】
2014122454.tif 000003
【図２】
2014122454.tif 000004
【図３】
2014122454.tif 000005
【図４】
2014122454.tif 000006
【図５】
2014122454.tif 000007
【図６】
2014122454.tif 000008
【図７】
2014122454.tif 000009